(57)【要約】【課題】光ディスクのＩＣチップと光ディスクドライブのリーダ／ライタと間での通信に及ぼす導電性筐体の影響を低減した光ディスク記録再生装置およびそのアンテナを提供する。【解決手段】樹脂製のチャッキングプレート押さえ板３５には、リーダ／ライタ側のアンテナ４０が埋め込まれ、光ディスク１０に搭載されたＩＣチップ２１はアンテナコイル２２を媒介に通信を行う。また、ターンテーブル３０およびスピンドルモータ３２を含むドライブ全体は、導電性材料の筐体５０で覆われている。そして、アンテナ４０と筐体５０との間に磁気シールド部材５１が設けられ、この磁気シールド部材５１を介してチャッキングプレート３３の支持構造体３４が筐体５０に固定される。【選択図】図２
2007335026.tif 000002
【特許請求の範囲】
【請求項１】
ループ状またはスパイラル状のアンテナコイルとＩＣチップとが搭載された光ディスクが挿入されたとき、前記光ディスクの信号記録領域への信号の記録および再生とともに、前記ＩＣチップとの非接触通信が可能な光ディスク記録再生装置において、
導電性材料からなる筐体の内部に設けられ、前記光ディスクの記録再生時に前記光ディスクの回転中心を支持するディスククランプ機構と、
前記筐体の内部に配置されて、前記ディスククランプ機構に支持された前記光ディスクを前記ディスククランプ機構と一体に回転させるスピンドル部と、
前記光ディスクが前記スピンドル部により回転可能な状態で、前記アンテナコイルと対向する位置に配置され、前記アンテナコイルを介して前記ＩＣチップと非接触で通信するアンテナと、
前記アンテナに対向して近接する前記筐体との間に設けられた磁気シールド部材と、
を有することを特徴とする光ディスク記録再生装置。
【請求項２】
前記アンテナが前記光ディスクに搭載された前記アンテナコイルと対応したループ状またはスパイラル状である場合、前記磁気シールド部材は、前記アンテナに対応した領域を覆う円環状に形成されたものであることを特徴とする請求項１記載の光ディスク記録再生装置。
【請求項３】
前記アンテナが前記光ディスクに搭載された前記アンテナコイルと対応したループ状またはスパイラル状である場合、前記磁気シールド部材は、前記アンテナに対応した領域を覆う多角形状に形成されたものであることを特徴とする請求項１記載の光ディスク記録再生装置。
【請求項４】
前記磁気シールド部材は、正六角形の形状に形成されることを特徴とする請求項３記載の光ディスク記録再生装置。
【請求項５】
前記アンテナが前記光ディスクに搭載された前記アンテナコイルと対応したループ状またはスパイラル状である場合、前記磁気シールド部材は、それぞれ同一の形状および大きさを持つ複数の多角形部材によって形成され、前記複数の多角形部材の全体により前記アンテナに対応した領域を覆っていることを特徴とする請求項１記載の光ディスク記録再生装置。
【請求項６】
前記磁気シールド部材は、前記アンテナから前記筐体への誘導磁界を遮断する高透磁率材料のシート状またはフィルム状の部材であることを特徴とする請求項１記載の光ディスク記録再生装置。
【請求項７】
前記ディスククランプ機構が、前記光ディスクを支持するターンテーブルと、前記光ディスクを前記ターンテーブルの上からチャッキングするチャッキングプレートとを備えている場合、前記アンテナおよび前記磁気シールド部材は、それぞれ前記チャッキングプレートの支持構造体に配置されていることを特徴とする請求項１記載の光ディスク記録再生装置。
【請求項８】
前記ディスククランプ機構が、前記光ディスクのセンタホールの縁を押圧する押圧機構によりターンテーブル上に前記光ディスクをチャッキングするチャッキング構造を有する場合、前記アンテナおよび前記磁気シールド部材は、それぞれ前記筐体の内面の、前記アンテナコイルに対向する位置に配置されていることを特徴とする請求項１記載の光ディスク記録再生装置。
【請求項９】
前記アンテナは、樹脂フィルムまたは樹脂シートの一面に導電性材料を被着形成したものであることを特徴とする請求項１記載の光ディスク記録再生装置。
【請求項１０】
前記筐体が導電性材料の外装筐体であり、前記外装筐体の内部に設けられた非導電性の内部筐体の内部に前記ディスククランプ機構および前記スピンドル部が収容されて、前記アンテナが前記内部筐体と前記外装筐体との間に配置されている場合、前記磁気シールド部材は、前記アンテナに対向して近接する前記外装筐体との間に配置されたことを特徴とする請求項１記載の光ディスク記録再生装置。
【発明の詳細な説明】
【技術分野】
【０００１】
本発明は、光ディスクに搭載されたＩＣ（Integrated Circuit）チップとの間でループ状のアンテナコイルを媒介とした通信が可能な光ディスク記録再生装置に関し、とくに内蔵されたリーダライタとの間での通信が阻害されないようにした光ディスク記録再生装置に関する。
【背景技術】
【０００２】
近年、映像などの大容量データを記録可能な光ディスク媒体として、ＤＶＤ（Digital Versatile Disk）の普及が著しい。また最近では、さらに高画質でかつ長時間の映像の記録などを目的として、青色半導体レーザを光源とする光ディスクの開発が進められており、その一種としてすでにブルーレイディスク（Blu-ray Disc、ソニー株式会社の登録商標。以下ＢＤと略称する。）が商品化されている。
【０００３】
このように、高品質のデジタルコンテンツが可搬型の記録媒体に容易に保存できるようになるのに伴い、デジタルコンテンツの著作権保護の重要性が高まっている。ＢＤでは、ディスクごとに固有なＩＤ（Identification）をバーコード状のパターンとしてＢＣＡ（Burst Cutting Area）と呼ばれる信号記録領域の最内周部に記録し、プレーヤにおいてこのＩＤを読み取ることで、不正なディスクが再生されないように管理している。しかし、不正なディスクを作成する技術は年々高度になっており、さらに強固な著作権保護対策が必要であると言われている。
【０００４】
一方、近年、非接触で外部との情報の受け渡しが可能なＩＣチップであるＲＦＩＤ（Radio Frequency Identification）タグが、入館証や交通乗車券、電子マネーなどに利用されるようになっている。ＲＦＩＤタグは、リーダ／ライタ（Ｒ／Ｗ）からの電波あるいは磁界をアンテナで受信して起電力に変換するため、内蔵電池を持たず、軽量で携帯性に優れ、半永久的に使用可能であるという特徴を持つ。これに加えて、複製が非常に困難であるという特徴もある。
【０００５】
このような背景から、光ディスクにＲＦＩＤタグを搭載して、著作権保護対策を強化することが考えられている。例えば、読み取り専用の状態でディスクＩＤを記録したＲＦＩＤタグを光ディスクに搭載させることで、同じディスクＩＤを持つ光ディスクが複製される危険性を、上記のＢＣＡパターンを用いた場合より大幅に低下させることができる。
【０００６】
さらに、ＲＦＩＤタグの記憶容量に余裕がある場合、余った記憶領域にユーザに対して利益を供与するアプリケーションを格納して、光ディスクに新たな付加価値を発生させることもできる。例えば、ゲームソフトが格納されたＲＯＭ（Read Only Memory）型光ディスクにＲＦＩＤタグを設けて、ゲームの途中状態をそのＲＦＩＤタグに保存する、あるいは、光ディスク内の記録内容をＲＦＩＤタグに記録して、その光ディスクをプレーヤに挿入しなくてもＲ／Ｗにかざすだけで記録内容を知ることができるようにする、などといった用途が考えられる。
【０００７】
ところで、ＲＦＩＤタグを搭載した光ディスクの場合、光ディスク上には無線通信や電力供給のためのアンテナを形成する必要がある。ＲＦＩＤタグの無線通信には複数の周波数帯が考えられており、その周波数帯によりアンテナの長さや形状が異なる。一般に、長波帯（１２５〜１３５ｋＨｚ）および短波帯（１３．５６ＭＨｚ）ではコイル状のアンテナが使用され、ＵＨＦ（Ultra High Frequency）帯（９００ＭＨｚ近辺）からマイクロ波帯（２．４５ＧＨｚ）では、半波長に相当する長さの直線型アンテナ（ダイポールアンテナ）または平面型アンテナ（マイクロストリップアンテナ）などが用いられている。
【０００８】
光ディスクは中心孔（センタホール）を軸に回転する円盤であるため、重量バランスの観点からループ状あるいはスパイラル状のアンテナとの相性がよい。このため、光ディスク上の信号記録領域よりさらに内側部分（クランプ領域）、あるいは信号記録領域の裏側に、円環状あるいはスパイラル状のアンテナパターンを形成したものが多くなっている（例えば、特許文献１参照）。
【０００９】
図１３は、ＲＦＩＤタグが搭載された従来の光ディスクの構成を示す図である。
ここでは、一例としてディスク内周側にＲＦＩＤタグを構成するＩＣチップ２１０およびスパイラル状のアンテナ（アンテナコイル２２０）のパターンが形成された光ディスク１００を示している。この光ディスク１００では、中心孔１１０と最外周部との間の領域１２０に反射膜が形成され、その内部の領域１３０が信号記録面とされている。また、ＩＣチップ２１０および無線通信用のアンテナコイル２２０は、反射膜の領域１２０と中心孔１１０との間の、反射膜が形成されていないクランプ領域１４０に設けられている。なお、アンテナコイル２２０は、銀（Ａｇ）あるいはアルミニウム（Ａｌ）などの導電性材料により薄膜として形成され、ＩＣチップ２１０の接続端子と導電性接着剤などにより接続される。
【００１０】
長波帯や短波帯の帯域での無線通信は、より波長の短い帯域と比較して水や障害物、電波干渉などに強く、その信頼性が高いと言われている。また、例えば１３．５６ＭＨｚでは、光ディスク１００の中心孔１１０の周囲にアンテナコイル２２０が形成された場合、そのコイル巻き数が５巻き程度となるなど、設計自由度が高い。これらのことから、現在では、特に長い通信距離を必要としない用途で、長波帯や短波帯を用いて通信するＲＦＩＤタグが多く実用化されている。しかし、ＲＦＩＤタグの用途は今後拡大されることが予想され、また国際的にもＵＨＦ帯やマイクロ波帯を用いたＲＦＩＤタグが推進されていることから、今後はこれらの帯域を用いたＲＦＩＤタグも急速に普及すると考えられる。
【００１１】
図１４は、光ディスク記録再生装置のチャッキング機構の一例を示す側面断面図である。
ターンテーブル３１０は、スピンドルモータ３２０の回転軸３２１と結合されている。このターンテーブル３１０の中央部分には強磁性体の金属部品３１１が備えられている。一方、チャッキングプレート３３０には光ディスクを上からクランプするために、その中央部に磁石３３１が備えられている。
【００１２】
光ディスクのチャッキング時には、スピンドルモータ３２０とともにターンテーブル３１０が上昇して、光ディスクのクランプ領域に当接してこれを押し上げ、ターンテーブル３１０の金属部品３１１が光ディスクの中心孔から突起した状態となる。このとき、ターンテーブル３１０の上昇により、チャッキングプレート３３０の磁石３３１とターンテーブル３１０の金属部品３１１とが、磁力により固着する。これにより、チャッキングプレート３３０は、光ディスクをターンテーブル３１０に固着させた状態で、一体に回転する。また、光ディスクをディスクトレイから排出する際には、スピンドルモータ３２０が下降して光ディスクをターンテーブル３１０から解放するように制御される。
【００１３】
このような従来の光ディスク記録再生装置には、光ディスクに搭載されたＩＣチップとの間で非接触通信を行うために、アンテナコイル、静電結合素子または光学結合素子を媒介にしたものがあった（例えば、特許文献２参照）。
【００１４】
図１５は、光ディスクの内周部に搭載されたＩＣチップとの非接触通信の状態を示す図である。
ここでは例として、リーダ／ライタ側のアンテナ４００が、チャッキングプレート３３０の支持構造である樹脂製のチャッキングプレート押さえ板３３３に埋め込み設置され、光ディスク１００がターンテーブル３１０上にクランプされた状態を示している。チャッキングプレート３３０の支持構造体３３２は、チャッキングプレート３３０の可動範囲を規定することによって、光ディスク１００のディスクトレイからの排出時に、チャッキングプレート３３０とターンテーブル３１０とを離間させ、チャッキングプレート３３０が光ディスク１００に接触することを防いでいる。
【００１５】
ここでは、ＩＣチップ２１０側のアンテナコイル２２０とリーダ／ライタ側のアンテナ４００は、ともにスピンドルモータ３２０の回転軸３２１を中心とするよう配置された１ターンもしくはそれ以上のターン数のループ状アンテナとなっており、これにより、光ディスク１００が回転しているときでも、アンテナコイル２２０とアンテナ４００の間で通信が可能となる。また、チャッキングプレート３３０自体は、その主たる部分が非導電性材料で形成されているため、通信用の磁界で渦電流が生成されない。したがって、チャッキング機構が光ディスク記録再生装置と光ディスクとの間での通信に及ぼす悪影響を排除し、軽減することができる。
【特許文献１】特開平９−２４５３８１号公報（段落番号〔００１１〕〜〔００１４〕、図１）
【特許文献２】特表２０００−５０９５４１号公報（第１２頁−第１４頁、図３）
【発明の開示】
【発明が解決しようとする課題】
【００１６】
図１６は、図１４のチャッキング機構を備えた光ディスク用ドライブの全体構造を示す断面図である。
光ディスク用ドライブでは、この図１６に示すように、外界との磁気シールドを保持する必要からドライブ全体が導電性材料の筐体５００で覆われているものが一般的である。この場合に、チャッキングプレートを支持する支持構造体３３２がこの筐体５００と一体化して設けられていたり、チャッキングプレート押さえ板３３３の真上に当該筐体５００が存在していたりする。したがって、チャッキングプレート３３０の主要部分を樹脂で形成するなどしても、導電性材料で構成されるドライブの筐体５００がリーダ／ライタ側に搭載されたアンテナ４００と近い位置に存在することが一般的であることから、アンテナ４００で発生する磁界４０１により筐体５００に渦電流が発生する。そして、こうした渦電流が磁界４０１による通信の阻害要因となって、光ディスク１００上のＩＣチップとリーダ／ライタ間での通信が困難となることがあった。
【００１７】
また、ノートＰＣなどで採用される薄型のドライブにおいて、チャッキングプレートなどを用いることなく、チャッキング機構がターンテーブル側のボールチャッキング機構などとして設けられたものがあるが、この場合には、そのターンテーブルに設置されたＩＣチップ搭載の光ディスクとドライブの筐体とは非常に近接し、光ディスクに搭載されたＩＣチップとリーダ／ライタ間での通信を行うためのアンテナ設置が困難となる。しかも、ドライブの天板を導電性材料で構成する場合には、そこにアンテナを直接設置することができないという問題があった。
【００１８】
本発明はこのような点に鑑みてなされたものであり、導電性筐体における渦電流の発生を抑制することによって、光ディスクのＩＣチップとリーダ／ライタ間での通信に及ぼす導電性筐体の影響を低減した光ディスク記録再生装置を提供することを目的とする。
【課題を解決するための手段】
【００１９】
本発明では、上記問題を解決するために、ループ状またはスパイラル状のアンテナコイルとＩＣチップとが搭載された光ディスクが挿入されたとき、前記光ディスクの信号記録領域への信号の記録および再生とともに、前記ＩＣチップとの非接触通信が可能な光ディスク記録再生装置において、導電性材料からなる筐体の内部に設けられ、前記光ディスクの記録再生時に前記光ディスクの回転中心を支持するディスククランプ機構と、前記筐体の内部に配置されて、前記ディスククランプ機構に支持された前記光ディスクを前記ディスククランプ機構と一体に回転させるスピンドル部と、前記光ディスクが前記スピンドル部により回転可能な状態で、前記アンテナコイルと対向する位置に配置され、前記アンテナコイルを介して前記ＩＣチップと非接触で通信するアンテナと、前記アンテナに対向して近接する前記筐体との間に設けられた磁気シールド部材とを有することを特徴とする光ディスク記録再生装置が提供される。
【００２０】
このような光ディスク記録再生装置では、導電性材料からなる筐体の内部において、光ディスクが、ディスククランプ機構に支持されて、スピンドル部によりディスククランプ機構と一体に回転される。また、この状態で、光ディスク記録再生装置側では、アンテナにより、光ディスクに設けられたＩＣチップとアンテナコイルを介して非接触で通信できる。このとき、アンテナと筐体との間に設けられた磁気シールド部材が、アンテナから筐体に漏れる磁界を防止するので、導電性材料からなる筐体であっても渦電流の発生が抑制される。
【発明の効果】
【００２１】
本発明の光ディスク記録再生装置によれば、光ディスク上のＩＣチップとの間で非接触通信を行うとき、導電性材料からなる筐体からの通信信号への影響を排除して、通信環境を改善できる。
【発明を実施するための最良の形態】
【００２２】
以下、図面を参照してこの発明の実施の形態について説明する。
［第１の実施の形態］
図１は、この光ディスク記録再生装置により信号が記録および再生される光ディスクを示す平面図および断面図である。
【００２３】
最初に、光ディスク１０とそこに搭載されるＩＣチップモジュール２０について説明する。図１に示す光ディスク１０は、ＣＤ（Compact Disc）やＤＶＤ、ＢＤなどの一般的な光ディスク媒体に共通する、以下のような基本的構造を有している。すなわち、この光ディスク１０には、中央部に中心孔１１が設けられており、この光ディスク１０がプレーヤに挿入されたときに、この中心孔１１を中心に回転され、信号記録面にレーザ光が照射されて、その反射光の光量に応じて信号が読み取られる。
【００２４】
光ディスク１０の中心孔１１から所定距離分だけ外側の領域には、ＡｇあるいはＡｌなどの導電性材料からなる反射膜１２が成膜されている。この反射膜１２が成膜された領域のうち、内周部側のリードイン領域および外周部側のリードアウト領域を除く内側が、信号記録領域とされる。なお、本実施の形態（他の実施の形態でも同様）では例として信号記録領域からの読み取り専用の光ディスクを挙げているが、書き込み可能な光ディスクの場合には、この信号記録領域には反射膜の他、記録膜や誘電体膜などがさらに成膜される。
【００２５】
ＩＣチップモジュール２０は、非接触通信用のＩＣチップ２１と４ターンのループ状のアンテナコイル２２とが、直径３５ｍｍのＰＥＴ（Poly Ethylene Terephthalate）基板２３上に被着されたものであって、中央に１８ｍｍの丸孔２４が設けられた円環形状をなしている。ＩＣチップ２１とアンテナコイル２２とは、例えばＩＣチップの下面などにおいて異方導電性フィルム（ＡＣＦ）などにより接合されている。このＩＣチップモジュール２０は、光ディスク１０の反射膜１２が成膜されていない中心孔１１との間のクランプ領域１３に貼り付けられている。ここでは、ディスク基板を射出成形する際に、ＩＣチップ２１が嵌合可能な大きさの凹部を形成しておき、ここにＩＣチップ２１が埋め込まれるようにして、ＩＣチップモジュール２０を貼り付けるようにしている。
【００２６】
図２は、第１の実施の形態に係る光ディスク記録再生装置を示す側面断面図である。
この第１の実施の形態に係る光ディスク記録再生装置は、図２に示すように、ターンテーブル３０と、その回転軸３１を駆動するスピンドルモータ３２を備えている。光ディスク１０は、ターンテーブル３０上でチャッキングプレート３３によってクランプされる。このチャッキングプレート３３は、その支持構造体３４によって可動範囲が規定されている。また、樹脂製のチャッキングプレート押さえ板３５には、光ディスク記録再生装置に搭載されたリーダ／ライタ（図示せず）のアンテナ４０が埋め込まれている。その結果、光ディスク１０に搭載されたＩＣチップ２１は、リーダ／ライタ側のアンテナ４０との間で、アンテナコイル２２を媒介とした通信が可能になる。なお、ターンテーブル３０およびスピンドルモータ３２を含むドライブ全体は、導電性材料の筐体５０で覆われており、外界との磁気シールドが確保されている。
【００２７】
ここで、従来の光ディスク記録再生装置（図１５）と異なる点は、アンテナ４０から筐体５０に誘導磁界が漏れないようにするため、アンテナ４０と筐体５０との間に磁気シールド部材５１が設けられており、この磁気シールド部材５１を介在させてチャッキングプレート３３の支持構造体３４が筐体５０に固定されていることである。したがって、ＩＣチップ２１が非接触で外部との情報の受け渡しを行う場合に、アンテナ４０で発生する誘導磁界が磁気シールド部材５１を通ることになって、導電性材料の筐体５０には渦電流が発生しなくなる。また、アンテナ４０で発生する電磁波の筐体５０による反射も抑えることができる。
【００２８】
上述した磁気シールド部材５１は、例えばセンダスト（Ｆｅ−Ｓｉ−Ａｌ系）、パーマロイ（Ｎｉ−Ｆｅ系）、フェライト（Ｎｉ−Ｚｎ系、Ｍｎ−Ｚｎ系）などの高透磁率の軟磁性材料で構成されたシート状の部材であり、アンテナ４０と導電性材料の筐体５０との間に必要な厚さの磁気吸収層として配置する必要がある。このようなシート状（あるいはフィルム状でもよい）の磁気シールド部材を使用することで、光ディスク記録再生装置の厚さを増大させることなく、ＩＣチップ２１との通信環境を改善できる。
【００２９】
なお、図２では、筐体５０や支持構造体３４、光ディスク１０はそれらの一部のみ示している。また、光ディスク記録再生装置の筐体５０内には、光ディスク１０の反射膜１２が形成された記録領域に信号を記録し、あるいは記録された信号を再生するための光ピックアップ機構が設けられているが、図２では省略している。光ピックアップ機構は、光ディスク１０に対して図中下側に配置される。
【００３０】
図３は、図２の光ディスク記録再生装置内部における磁気シールド部材の配置とその形状の一例を示す平面図である。ここでは、光ディスク１０の上方から見たときの磁気シールド部材５１の形状とともに、２点鎖線による想像線によってチャッキングプレート３３との位置関係をも示している。
【００３１】
光ディスク１０のクランプ領域１３に貼り付けられたＩＣチップモジュール２０は、チャッキングプレート３３で光ディスク１０がクランプされている状態で、リーダ／ライタ側のアンテナ４０が光ディスク１０と略同心位置に配置されていれば通信が可能である。そこで、磁気シールド部材５１を、アンテナ４０に対応した領域を覆う大きさで、光ディスク１０と同心位置に配置して、上述した渦電流の抑制効果を発揮するようにしている。磁気シールド部材５１は、例えばＩＣチップモジュール２０と同じ大きさで、その形状を図３に示すように円形に構成できる。
【００３２】
図４は、図１の光ディスク記録再生装置のアンテナに適用可能な他の形状の磁気シールド部材を示す平面図である。
ここでは、正六角形の磁気シールド部材５２を用いている。このように多角形形状の磁気シールド部材５２を用いることにより、一枚のシート状の磁気シールド部材から複数枚の同一形状のものを切り出す場合に、図３に示す円形のものと比較して、材料の無駄な部分を小さくして材料を有効利用することができる。特に、正六角形とすることで、材料の無駄な部分を格段に少なくできるようになる。
【００３３】
なお、この種のディスクドライブ装置には、装置本体に設けられた蓋や扉を開放し、そこから臨むターンテーブルにディスクを直接装着するタイプ、装置本体から水平方向に出し入れされるディスクトレイにディスクを載置することで、ディスクトレイが引き込まれた際にディスクが内部のターンテーブルに自動的に装着されるタイプがある。
【００３４】
［第２の実施の形態］
つぎに、光ディスク記録再生装置のディスクトレイなどに設けられたターンテーブルに光ディスクを直接装着するボールチャッキング機構について説明する。
【００３５】
図５は、第２の実施の形態に係る光ディスク記録再生装置におけるチャッキング機構を示す図である。
この光ディスク記録再生装置のボールチャッキング機構では、ターンテーブル６０の中央にセンターハブ６１を一体に形成し、外周の上面に環状のディスク載置面６２を水平に形成し、これらセンターハブ６１とディスク載置面６２との間に環状の凹部６３を形成し、センターハブ６１の上端外周にテーパー面６４を形成している。
【００３６】
ボールチャッキング機構のセンターハブ６１では、テーパー面６４の上部で円周方向の４等分位置にそれぞれ４つの凹部６５を形成し、その内部にそれぞれスチールボール等のボール６６を遊嵌させている。センターハブ６１内には、４つの凹部６５の下部にＯリングあるいはバネ材などの押圧手段が組み込まれており、その圧縮反発力によって４つのボール６６がセンターハブ６１の外側に向かって押圧付勢され、その作用によって光ディスク１０をセンターハブ６１に固定するものである。
【００３７】
図６は、第２の実施の形態に係る光ディスク記録再生装置におけるＩＣチップとの非接触通信の状態を示す図である。
この光ディスク記録再生装置のターンテーブル６０には、センターハブ６１に中心孔１１が挿入された状態で光ディスク１０が固定されている。このとき、光ディスク１０はセンターハブ６１の４つのボール６６から外周方向および図中下側方向への力を受けているため、ターンテーブル６０がスピンドルモータ３２によって回転駆動されると、光ディスク１０も一体に回転することになる。この光ディスク１０には、図２に示すアンテナコイル２２を備えたＩＣチップモジュール２０が搭載されている。
【００３８】
リーダ／ライタ側のアンテナ４０は、樹脂材料からなる薄い円板４１内に埋め込んで形成されている。そして、この円板４１が磁気シールド部材５３を介して、導電性材料の筐体５０の内側であって、ボールチャッキング機構のセンターハブ６１の上方位置に貼り付けられている。磁気シールド部材５３は、第１の実施の形態のものと同様、高透磁率の軟磁性材料で構成されたシート状の部材である。
【００３９】
アンテナ４０は、光ディスク１０に搭載されたＩＣチップ２１との間で、アンテナコイル２２を媒介とした通信が可能である。すなわち、リーダ／ライタ側のアンテナ４０で発生する誘導磁界は、磁気シールド部材５３の内部を通過するので、導電性材料の筐体５０には渦電流が発生しない。したがって、光ディスク１０のＩＣチップ２１は、そのクランプ領域１３に形成されたアンテナコイル２２を媒介として、導電性材料の筐体５０の影響を受けることなく、リーダ／ライタ側のアンテナ４０との間で誘導磁界による通信を行うことができる。また、光ディスク１０のアンテナコイル２２との間の距離も小さく、確実な磁気結合が可能になる。
【００４０】
なお、以上の第２の実施の形態では、ターンテーブル６０側で光ディスク１０を固定するためにボールチャッキング機構を用いた例を示したが、このような固定のためにボール以外の部材が用いられていてもよい。第１の実施の形態のように、ターンテーブル３０と対向する側にチャッキングプレート３３などを設けずに、ターンテーブル６０側の機構のみで光ディスク１０を固定することで、光ディスク記録再生装置の厚さを抑制できるので、このような機構はノートＰＣ（パーソナルコンピュータ）用の光ディスク記録再生装置に多く用いられる。そして、本実施の形態のように、シート状またはフィルム状の磁気シールド部材により導電性筐体での渦電流の発生を抑制することで、光ディスク記録再生装置の厚さを増大させることなく、ＩＣチップ２１との通信環境を改善できるので、特に有効である。
【００４１】
また、上記の各実施の形態において、なお、筐体５０が非導電性材料によって形成されていた場合は、リーダ／ライタ側のアンテナ４０は筐体５０の外側に配置することもできる。そのような場合でも、筐体５０を囲む外装筐体の多くは導電性材料から構成されているため、そうした外装筐体とアンテナ４０との間に磁気シールド部材５３を配置することにより、外装筐体における渦電流の発生を防止することができる。
【００４２】
［第３の実施の形態］
ところで、上述した２つの実施の形態では、光ディスク１０の内周部に形成されている信号非記録領域であるクランプ領域１３のＩＣチップモジュール２０に対応して、リーダ／ライタ側のアンテナ４０が形成されているものであった。しかし、導電性材料からなるチャッキングプレート３３によって光ディスク１０をクランプする構造の光ディスク記録再生装置では、クランプ領域１３にＩＣチップモジュール２０を埋め込んだ光ディスク１０との間では、誘導磁界による通信を行うことができない。
【００４３】
そこで、ＩＣチップモジュールのアンテナコイルを光ディスクの外周部に形成されている信号記録領域内に配置することが考えられる。以下では、そのような光ディスクとの通信が可能な光ディスク記録再生装置について説明する。
【００４４】
図７は、第３の実施の形態に係る光ディスクを示す平面図である。
光ディスク１０は、図７に示すように、その反射膜１２が成膜された記録領域に重ねてＩＣチップモジュール７０が搭載されている。このＩＣチップモジュール７０は、非接触通信用のＩＣチップ７１と３ターンのループ状のアンテナコイル７２が、光ディスク１０の直径よりやや小さい直径１１９ｍｍのＰＥＴ基板７３上に被着されたものである。このＰＥＴ基板７３の中央には丸孔７４が形成され、この丸孔７４が光ディスク１０の中心孔１１よりやや大きな直径１８ｍｍに形成されている。
【００４５】
この例では、ＩＣチップ７１は、所定の厚みを有することから、光ディスク１０のクランプ領域１３に配置される。そのため、あらかじめ光ディスク１０のクランプ領域１３には、ＩＣチップ７１を埋め込むための凹部を形成しておいて、ＩＣチップモジュール７０を貼り付けている。
【００４６】
また、この光ディスク１０では、ＩＣチップモジュール７０のアンテナコイル７２が光ディスク１０の信号記録領域に配置されている。したがって、光ディスク記録再生装置が図１に示すものとは異なり、導電性材料からなるチャッキングプレートによって光ディスク１０をクランプするものであっても、リーダ／ライタ側のアンテナとの間で、アンテナコイル７２を媒介とした通信が可能である。
【００４７】
図８は、図７の光ディスクが装着された光ディスク記録再生装置を示す側面断面図である。
図８に示す光ディスク記録再生装置は、図１に示すものとは異なり、光ディスク１０が導電性のチャッキングプレート８３によってターンテーブル３０上でクランプされ、スピンドルモータ３２によって一体に回転駆動するものであって、チャッキングプレート８３の可動範囲を規定する支持構造体８４は非導体材料で構成され、そこにリーダ／ライタ側のアンテナ４０が設けられている。この場合、支持構造体８４とその外側の筐体５０との間に磁気シールド部材５４を設けることによって、導電性材料の筐体５０に誘導磁界が漏れないようにしている。したがって、ＩＣチップ７１が非接触で外部との情報の受け渡しを行う際、アンテナ４０で発生する誘導磁界は磁気シールド部材５４を通ることになって、導電性材料の筐体５０には渦電流が発生せず、ＩＣチップ７１との情報の受け渡しが阻害されなくなる。
【００４８】
図９は、図８の光ディスク記録再生装置におけるアンテナの配置とその形状の一例を示す平面図である。ここでは、光ディスク１０の上方から見たときの磁気シールド部材５４の形状とともに、２点鎖線による想像線によってチャッキングプレート８３との位置関係をも示している。
【００４９】
光ディスク１０の信号記録領域に貼り付けられたＩＣチップモジュール７０は、チャッキングプレート８３で光ディスク１０がクランプされている状態で、リーダ／ライタ側のアンテナ４０が光ディスク１０上のアンテナコイル７２と略同形かつ略同心位置に配置されていれば通信が可能である。そこで、アンテナ４０に対応した領域を覆う大きさで、光ディスク１０上のアンテナコイル７２の形成領域と略同形かつ略同心位置に磁気シールド部材５４を配置して、上述した渦電流の抑制効果を発揮させるようにしている。この磁気シールド部材５４の形状は、図９に示すように円環状に構成すればよい。
【００５０】
図１０は、図８の光ディスク記録再生装置のアンテナに適用可能な他の形状の磁気シールド部材を示す平面図である。
図９のように複数枚の円環状の磁気シールド部材５４を一枚の高透磁率シートから切り出す場合には、その中空部分に相当する材料だけ無駄が生じる。そこで、例として８枚の矩形形状の磁気シールド部材５５を貼り合わせて円環状のアンテナ４０を覆うように配置した。このように構成すれば、図９に示す形状のものと比較して、高透磁率材料を効率良く利用できる。
【００５１】
図１１は、第３の実施の形態に係る光ディスク記録再生装置の変形例を示す側面断面図である。
ここでは、チャッキングプレート８３の支持構造体８４もまた導体素材からなる場合に、支持構造体８４に誘導磁界が漏れないようにするため、アンテナ４０と支持構造体８４との間に磁気シールド部材５５が設けられている。したがって、ＩＣチップ７１が非接触で外部との情報の受け渡しを行う場合に、アンテナ４０で発生する誘導磁界が磁気シールド部材５５を通ることになって、導体材料からなる支持構造体８４には渦電流が発生しなくなり、通信環境を改善できる。
【００５２】
なお、上述した各実施の形態では、それぞれリーダ／ライタ側のアンテナ４０を樹脂製のチャッキングプレート押さえ板３５やその支持構造体３４、あるいは樹脂材料の円板４１に埋め込んで形成しているが、他に例えば、金属層からなるアンテナパターンを樹脂フィルムなどに形成したアンテナ４０であってもよい。こうした樹脂フィルムに形成したアンテナ４０であれば、あらかじめフェライトシートなどの磁気シールド部材５１上に貼り付けておいて、簡単に設置することができる。また、樹脂フィルムに形成したアンテナ４０は、チャッキングプレート押さえ板３５やその支持構造体３４が樹脂製であれば、それらの上面あるいは下面のいずれにも配置できるが、いずれの場合でも磁気シールド部材５１はアンテナ４０の上面（導体の筐体側）に配置されなくてはならない。
【００５３】
図１２は、光ディスク記録再生装置のアンテナの形成手順を示す図である。
最初に、高透磁率シートをカットして、そこから光ディスク側のアンテナとリーダ／ライタ側のアンテナの領域を包含する大きさの磁気シールド部材を切り出す（ステップＳ１）。つぎに、スパッタリングやメッキ処理、あるいはプリント処理によって、カットされた磁気シールド部材の上にアンテナパターンを形成する（ステップＳ２）。
【００５４】
つぎに、アンテナパターンと同時に形成された磁気シールド部材の上の端子に、リーダ／ライタとの接合用ケーブルを接着して、アンテナパターンをリーダ／ライタと接続する（ステップＳ３）。最後に、アンテナパターンが形成された磁気シールド部材を、ドライブ筐体、あるいはチャッキングプレート押さえ板３５やその支持構造体３４の所定位置に貼り付ける（ステップＳ４）。
【図面の簡単な説明】
【００５５】
【図１】この光ディスク記録再生装置により信号が記録および再生される光ディスクを示す平面図である。
【図２】第１の実施の形態に係る光ディスク記録再生装置を示す側面断面図である。
【図３】図２の光ディスク記録再生装置内部における磁気シールド部材の配置とその形状の一例を示す平面図である。
【図４】図１の光ディスク記録再生装置のアンテナに適用可能な他の形状の磁気シールド部材を示す平面図である。
【図５】第２の実施の形態に係る光ディスク記録再生装置におけるチャッキング機構を示す図である。
【図６】第２の実施の形態に係る光ディスク記録再生装置におけるＩＣチップとの非接触通信の状態を示す図である。
【図７】第３の実施の形態に係る光ディスクを示す平面図である。
【図８】図７の光ディスクが装着された光ディスク記録再生装置を示す側面断面図である。
【図９】図８の光ディスク記録再生装置におけるアンテナの配置とその形状の一例を示す平面図である。
【図１０】図８の光ディスク記録再生装置のアンテナに適用可能な他の形状の磁気シールド部材を示す平面図である。
【図１１】第３の実施の形態に係る光ディスク記録再生装置の変形例を示す側面断面図である。
【図１２】光ディスク記録再生装置のアンテナの形成手順を示す図である。
【図１３】ＲＦＩＤタグが搭載された従来の光ディスクの構成を示す図である。
【図１４】光ディスク記録再生装置のチャッキング機構の一例を示す側面断面図である。
【図１５】光ディスクの内周部に搭載されたＩＣチップとの非接触通信の状態を示す図である。
【図１６】図１４のチャッキング機構を備えた光ディスク用ドライブの全体構造を示す断面図である。
【符号の説明】
【００５６】
１０……光ディスク、１１……中心孔、１２……反射膜、１３……クランプ領域、２０，７０……ＩＣチップモジュール、２１，７１……ＩＣチップ、２２，７２……アンテナコイル、２３，７３……ＰＥＴ基板、２４，７４……丸孔、３０，６０……ターンテーブル、３１……回転軸、３２……スピンドルモータ、３３，８３……チャッキングプレート、３４，８４……支持構造体、３５……チャッキングプレート押さえ板、４０……アンテナ、４１……円板、５０……筐体、５１〜５５……磁気シールド部材、６１……センターハブ、６２……ディスク載置面、６３……凹部、６４……テーパー面、６５……凹部、６６……ボール
【図１】
2007335026.tif 000003
【図２】
2007335026.tif 000004
【図３】
2007335026.tif 000005
【図４】
2007335026.tif 000006
【図５】
2007335026.tif 000007
【図６】
2007335026.tif 000008
【図７】
2007335026.tif 000009
【図８】
2007335026.tif 000010
【図９】
2007335026.tif 000011
【図１０】
2007335026.tif 000012
【図１１】
2007335026.tif 000013
【図１２】
2007335026.tif 000014
【図１３】
2007335026.tif 000015
【図１４】
2007335026.tif 000016
【図１５】
2007335026.tif 000017
【図１６】
2007335026.tif 000018